(57)【要約】  【課題】  藁を使用した畳床を分解するにあたり、分解の装置を安価に抑え、また分解のための縫着糸の除去が簡単に行える装置の提供が十分ではなかった。  【解決手段】  畳床を載置する畳床台と載置された畳床を切断のために移動させる手段を有し、畳床が移動する際に、畳床台側から突出させた複数の刃物により畳床を縫着する横糸のみを切断する畳床の分解装置を提供する。複数の刃物により、畳床台上に載置されて移動される畳床の表側に配置されている横糸のみを切断することにより、縦糸を引っ張れば切断された横糸が縦糸と共に畳床の裏面側にまで突出させ、縦糸を引っ張ることで畳床から除去でき、切断された横糸も簡単に手で除去できる装置とする。  【選択図】  図１
2005144577.tif 000002
【特許請求の範囲】
【請求項１】
藁を使用した畳床の分解装置において、畳床を載置する畳床台と載置された畳床を切断のために移動させる手段を有し、畳床が移動する際に、畳床台側から突出させた複数の刃物により畳床を縫着する横糸のみを切断する畳床の分解装置。
【請求項２】
複数の刃物は所定間隔に複数設置され、その設置巾が切断する畳床の巾よりも広くされていることを特徴とする請求項１記載の畳床の分解装置。
【請求項３】
横糸の切断を確実にするために刃物側へ畳床を押さえる押さえ手段を少なくとも１カ所は設けたことを特徴とする請求項１、請求項２記載の畳床の分解装置。
【請求項４】
複数の刃物の所定間隔が３０ｍｍ以上６０ｍｍ以下に設定されていることを特徴とする請求項２記載の畳床の分解装置。
【発明の詳細な説明】
【技術分野】
【０００１】
本発明は、使用済みの畳を分解する装置に関するものである。
【背景技術】
【０００２】
近年環境問題が大きく取り上げられるようになり、使用済みの畳等の廃棄処理についてもリサイクルの取り組みが種々なされている。その例は、畳を分解して炭化させることや粉砕して建材に混入して使用する等のことが行われている。
【０００３】
通常、畳床が使用可能な状態であれば、畳表を取り替えて、再度家屋に敷き込む表替えがなされるのであるが、再度の使用に耐えられない、また取り壊し家屋等から排出される畳は廃棄されている。現状で廃棄されている畳は、畳床に藁が使用されているものの割合が多い。そのため、分解して藁にすれば、堆肥や動物用の敷藁等に使用することができ、藁を使用した畳床を容易に分解したいという要望が高まっている。その要望に答えるために特開平２００１−１５９２２５号公報のように畳床を縫着している縦糸を切断して縫糸を引き抜くという工法が知られている。
【０００４】
【特許文献１】特開平２００１−１５９２２５号公報
【発明の開示】
【発明が解決しようとする課題】
【０００５】
特開平２００１−１５９２２５号公報においては畳床を縫着する縦糸を切断する工法を開示しているが、縦糸は畳床の長さ方向に縫着され、その長さも長い。そのため縦糸を切断すれば糸くずの量もそれだけ多くなり、また、特開平２００１−１５９２２５号公報に開示されている縫い糸の抜き取りの機構や糸を回収する集塵機構など装置自体が高価となってしまっていた。
【０００６】
横糸を切断して、縦糸を人手で畳床の裏面側から引っ張れば横糸は軽く裏面側に出てくるので、糸の抜き取り機構等を無くした装置とすれば、装置の価格も安価に抑えられ、藁等の仕分けはいずれにしても人手によることになるため、その縫着糸の除去についても人手で簡単にできかつ安価な装置の提供ができていないという課題があった。
【課題を解決するための手段】
【０００７】
上記課題を解決するために本発明の請求項１は、藁を使用した畳床の分解装置において、畳床を載置する畳床台と載置された畳床を切断のために移動させる手段を有し、畳床が移動する際に、畳床台側から突出させた複数の刃物により畳床を縫着する横糸のみを切断する畳床の分解装置である。
【０００８】
複数の刃物により、畳床台上に載置されて移動される畳床の表側に配置されている横糸のみを切断することにより、縦糸を引っ張れば切断された横糸が縦糸と共に畳床の裏面側にまで出てくるため、縦糸は切らずに引っ張るだけで畳床から除去でき、切断された横糸も簡単に手で除去することができるのである。そして畳の移動手段を有しているため、複数の畳床を順次切断させることができ、効率的に切断し、その後糸の除去ができる。このため分解のための装置も必要最低限の安価な装置とすることができ、糸の除去も簡単に行える装置として提供が可能となる。
【０００９】
本発明の請求項２は、複数の刃物は所定間隔に複数設置され、その設置巾が切断する畳床の巾よりも広くされていることを特徴とする請求項１記載の畳床の分解装置である。
【００１０】
請求項の２は複数の刃物を所定間隔に複数配置することを特徴としたものである。所定間隔とはある一定の間隔でもよいし、また中央付近と両端では間隔を変更するという刃物間隔を場所によって変更した状態としてもよい。畳床においては両端部においては縦糸の間隔が中央よりも小さく縫着されている場合があり、このような場合は発明の限定をするわけではなく例えば両端部においては刃物間隔を１５ｍｍ程度、中央部においては３０から５０ｍｍ程度とすればよい。このように切断する場所によって間隔を変更することにより糸の除去がより容易にできるようになるのである。
【００１１】
本発明の請求項３は、横糸の切断を確実にするために刃物側へ畳床を押さえる押さえ手段を少なくとも１カ所は設けたことを特徴とする請求項１、請求項２記載の畳床の分解装置である。
【００１２】
畳床が刃物側へ移動されるときに浮き上がったり、畳床台上から落下したりしてしまわないように押さえ手段を設けて確実に横糸の切断が可能となる。具体的には畳床の厚みに応じて上下するような押さえローラーや着脱自在に配置が可能な押さえローラーなどで確実に刃物により横糸が切断できるのである。
【００１３】
本発明の請求項４は、複数の刃物の所定間隔が３０ｍｍ以上６０ｍｍ以下に設定されていることを特徴とする請求項２記載の畳床の分解装置である。
【００１４】
通常、藁が使用されている畳床は縦糸と縦糸の間隔が約３０ｍｍ程度で縫着されている。そのため複数の刃物間隔を３０ｍｍ以上６０ｍｍ以下に設定すれば、複数ある縦糸間の少なくとも一つおき程度には横糸の切断が可能となる。
【発明の効果】
【００１５】
畳床の縫着糸の横糸を切断することにより、人手で簡単に糸の除去が行え、かつ安価に抑えた畳床の分解装置を提供できる。
【発明を実施するための最良の形態】
【００１６】
本発明の実施の形態について説明する。図１は実施の形態の一例の平面図であり、図２はその側面図である。畳床Ａを載置する畳床台１上に畳床押し込み装置２、畳ガイド３、畳床押え部４が設けられている。畳床台１の下側に畳床を縫着している横糸Ｂを切断するための刃物５を所定間隔で複数枚設置され、刃物５が畳床台１上に少し突出した状態に位置決めされている。
【００１７】
畳床押し込み装置２は、駆動源として油圧等のシリンダー２１を設置している。シリンダー２１のロッドの先端にはピニオン２２が回転可能に設けられ、固定ラック２３及び押し込みラック２４と噛み合わさっている。シリンダー２１が駆動すると、固定ラック２３との噛み合いによりピニオン２２が回転することにより、押し込み部２５がシリンダー２１のロッド伸張量に対し２倍移動する構造と設計されている。なお図示はしていないが畳床押し込み装置２の各部に偏った力がかからないように適宜ガイド機構を設けておくとよい。
【００１８】
畳ガイド３は押し込まれる畳床Ａが畳床台１上から横等へ飛び出したりしないようにするためのガイドであり、図２に示すようにガイド３に溝部３１をそれぞれ設けて、この溝部３１に浮き上がり防止ローラー３２を着脱自在に設けている。
【００１９】
畳押さえ部４は、畳床Ａを刃物５に対して確実に押さえ付けるための機構であり、畳床台１の両側にそれぞれ２本の支柱４１を設置し、畳床Ａの厚みに応じて支柱４１に対して上下することができるようにプレート４２を設け、このプレート４２に押えローラー４３を具備している。プレート４２はストッパー４４により下限位置が決められ、バネ４５で常に下向きに付勢されている。ストッパー４４の位置は処理する畳床の一番薄い物よりも畳床台１と押えローラー４３の間隔を少し狭くしておくと一番薄い畳床に対しても確実に押さえることができる。
【００２０】
刃物５は畳床台１の巾方向に対して所定間隔で複数配置している。刃物５は農機具（コンバインなど）等に使用されている直径１３０ｍｍから１５０ｍｍ程度で市販されている安価な刃物を使用することができる。市販されている刃物は中心に六角形の取付穴が開いているので、図３に示すように刃物５と刃物５の間に所定寸法のカラー５１を設置し、両端のカラー５１においては固定用のネジ５２でシャフト５３に固定する。このカラー５１を変更することで刃物の間隔は自由に変更することが可能となる。図１及び図２の形態では３０ミリ間隔に３２枚の刃物５を設置している。この刃物５はモーター５４で駆動される。畳床台１には刃物５が少し突出するだけのスリット（図示せず）を設けている。もちろん刃物部分については巾方向に一つの大きな穴を畳床台１上に開けてもよいが、その際には、畳床Ａがその穴に落ち込んでしまないような落ち込み防止、例えば落ち込み防止の橋渡しの部材を適宜設けておくなどすることが設計上必要である。
【００２１】
上記のような構成の畳分解装置の動作について説明する。まず分解するための畳は事前に框縫いの部分、返し縫い（縁）の部分を別の機械で裁断し、畳表も取り除いた状態とし、１畳の大きさの畳床はその半分に裁断する。框縫いの部分の裁断により畳表を縫い付けた縫着糸、返し縫い（縁）の部分の裁断により畳表及び縁を縫い付けた平刺しの縫着糸及び框縫いの縫着糸、縁を固定するためのステープル等が付いた部分を切り離す。（図４参照）この裁断により畳表は簡単に取り除くことができ、１畳の大きさの畳床であればその半分、半畳の大きさに裁断しておく。
【００２２】
裁断した畳床Ａは図５に示すように複数の横糸Ｂと複数の縦糸Ｃで藁が縦横に積層されで縫着されている。、発泡のボードを藁で上下とも挟んだ構成もあるが縫着は同様の縫着がなされているので特に図示はしない。図５（ａ）は畳床Ａの斜視図であり、図５（ｂ）畳床Ａを側面から見た状態で、複数ある縦糸Ｃの１本の縫着状態を示す説明図である。縦糸Ｃが畳床Ａの長さ方向に縫着され、横糸Ｂが畳の表面側で巾方向に通り、縦糸Ｃが折り返されて次の縫着がなされているという縫いとなっている。図５（ｃ）は畳床Ａを框側から見た状態である。
【００２３】
裁断された畳床Ａの裏面側を上にし、横糸Ｃが畳床押し込み方向に直角となるように畳床台１上へ畳床Ａを載置し、刃物５を駆動した状態で畳床押し込み装置２で畳床Ａを刃物５へ押し込むのである。
【００２４】
押し込まれた畳床Ａは、図６（ａ）のように隣合う縦糸Ｃの間で横糸Ｂが刃物５により切断される。横糸Ｂが切断できれば縦糸Ｃの端部を持ち軽く引っ張れば図６（ｂ）に示すように横糸Ｂが畳床Ａの裏面側へ突出する。横糸Ｂの切断位置が刃物５間の丁度中央でなければ図６（ｃ）のように切断長さの長く残っている方が畳床Ａ内にとどまり、短い端部は畳床Ａの裏面側に飛び出てくる。図６（ｃ）においては、切断した時の横糸Ｂを点線で表し、縦糸Ｃを引っ張り一端が畳床Ａから飛び出した状態を実線で表している。この糸の片側が飛び出た状態であれば、簡単に力を入れることなく糸くずを取り除くことができた。
【００２５】
図６では刃物５間の全ての横糸Ｃを切断する形態を説明したが、刃物５の間隔を変更し、一つおきに切断するようにしてもかまわない。この場合においても横糸Ｂの切断後に縦糸Ｃを引けば長く残っている側が図６（ｃ）と同様の状態で片側の糸の端部は突出することを実際に切断を行って確認した。横糸Ｂの切断を二つおき等、横糸Ｂを長く残しておくと切断後の糸くず取りが少なくて良いが、縦糸Ｃ数本を一度に引くとどの縦糸Ｃに引かれて端部が畳床裏面側にあがってくるかわからず、場合によって複数本の縦糸に一度にテンションがかかって縦糸Ｃを引き上げるのに重くなってしまうがあるため、あまり長くすると縦糸を一度にまとめて引っ張ることができないという制限ができる。しかし、縦糸Ｃを１本づつまたは数本づつ順序よく引くという手順さえ取れば小さな糸くずを多く出さずともよく、後の糸くずの排除が楽になるという効果がある。
【００２６】
また畳押し込み装置２はシリンダーを用いた例で説明したが、畳床Ａを刃物５側に押し込みができる方式の物であればよく、コンベア方式、特にベルトコンベア式に次々に畳床を投入できるような押し込み装置や、押し込み部両端それぞれにベルトやチェーンを無限軌道を構成するように取り付け、モーター等の駆動源を用いて畳床を押し込むように進退させるような構成としてもかまわない。またさらに、畳床切断後側の畳床台１においても畳床搬送用の装置を設けてもよい。また、上記の実施の形態においては、１畳の大きさの畳床を半分に切断する手順で説明したが、装置の設置面積が大きくなってもよい場合には１畳の大きさのまま横糸を切断する装置としてもよいのである。
【図面の簡単な説明】
【００２７】
【図１】本発明の一例を説明する平面図
【図２】本発明の一例を説明する側面図
【図３】刃物の設置状態の説明図
【図４】畳床の事前準備に関する説明図
【図５】切断する畳床に関する縦糸及び横糸の説明図
【図６】横糸の切断に関する説明図
【符号の説明】
【００２８】
Ａ  畳床
Ｂ  横糸
Ｃ  縦糸
１  畳床台
２  畳床押し込み装置
３  畳ガイド
４  畳床押え部
５  刃物
２１  シリンダー
２２  ピニオン
２３  固定ラック
２４  押し込みラック
２５  押し込み部
３１  溝部
３２  浮き上がり防止ローラー
４１  支柱
４２  プレート
４３  押えローラー
４４  ストッパー  
４５  バネ
５１  カラー
５２  ネジ
５３  シャフト
５４  モーター
【図１】
2005144577.tif 000003
【図２】
2005144577.tif 000004
【図３】
2005144577.tif 000005
【図４】
2005144577.tif 000006
【図５】
2005144577.tif 000007
【図６】
2005144577.tif 000008